(57)【要約】【課題】着用時の安定性と運動追従性とを両立する。【解決手段】  ブラジャー１は、バストを被覆するカップ部２と、カップ部２の脇側に接続するバック部３と、一対のバック部３を、背側で接続するバック接続部４を備える。バック部３は、カップ部２との接続部分３ｄからバック接続部４との接続部分３ｅにかけて、垂直方向の長さが徐々に短くなるように形成され、伸縮性を有する第１のバック部３ａと、カップ部２との接続部分３ｄにおいて第１のバック部３ａの垂直方向の長さより短く形成され、バック接続部４との接続部分３ｅにおいて第１のバック部３ａの垂直方向の長さよりも長く形成され、伸縮性を有する第２のバック部３ｂと、第１のバック部３ａの下辺と第２のバック部３ｂの下辺を接続する下辺接続部３ｃを備える。第１のバック部３ａの上辺と第２のバック部３ｂの上辺は互いに遊離可能に形成される。【選択図】      図１
2019194382.tif 000002
【特許請求の範囲】
【請求項１】
バストを被覆するカップ部を有する衣類であって、
バストを被覆する一対のカップ部と、
前記一対のカップ部の脇側にそれぞれ接続する一対のバック部と、
前記一対のバック部を、背側で接続するバック接続部を備え、
前記バック部は、
前記カップ部との接続部分から前記バック接続部との接続部分にかけて、垂直方向の長さが徐々に短くなり、前記バック接続部との接続部分において、前記バック接続部の垂直方向の長さよりも短くなるように形成され、伸縮性を有する第１のバック部と、
前記カップ部と接続するとともに、前記バック接続部との接続部分において前記第１のバック部の垂直方向の長さよりも長く形成され、伸縮性を有する第２のバック部と、
前記第１のバック部の下辺と前記第２のバック部の下辺を接続する下辺接続部を備え、
前記第１のバック部の上辺と前記第２のバック部の上辺は互いに遊離可能に形成される
ことを特徴とするカップ部を有する衣類。
【請求項２】
前記第１のバック部の上辺は、着用時において、上半身運動に伴って皮膚が伸縮する方向と略平行に配設される
ことを特徴とする請求項１に記載のカップ部を有する衣類。
【請求項３】
静立時での着用状態において、前記一対のカップ部の前中心上辺と、前記バック接続部の後中心上辺と、前記第２のバック部の上辺と体側の交点のそれぞれの垂直方向の高さが略同一である
ことを特徴とする請求項１に記載のカップ部を有する衣類。
【請求項４】
前記第１のバック部は、前記第１のバック部の上辺に平行な方向において、前記上辺に垂直な方向よりも、生地の伸長回復力が大きくなるように設けられ、
前記第２のバック部は、前記第２のバック部の上辺に平行な方向において、前記上辺に垂直な方向よりも、生地の伸長回復力が大きくなるように設けられる
ことを特徴とする請求項１に記載のカップ部を有する衣類。
【請求項５】
前記一対のカップ部の上方に接続するとともに、背側に配設された前記一対のバック部に着用者の肩を超えて接続する一対の肩ストラップ部をさらに備え、
前記第２のバック部の上辺は、着用状態において、前記カップ部との接続部分から前記肩ストラップ部との接続部分にかけて、斜め上方向に形成される
ことを特徴とする請求項１に記載のカップ部を有する衣類。
【請求項６】
前記下辺接続部に、テープ部材が配設される
ことを特徴とする請求項１に記載のカップ部を有する衣類。
【請求項７】
前記カップ部の脇側は、平面的な部材で形成される
ことを特徴とする請求項１に記載のカップ部を有する衣類。
【請求項８】
前記カップ部は、モールド成形カップにより形成される
ことを特徴とする請求項１に記載のカップ部を有する衣類。
【発明の詳細な説明】
【技術分野】
【０００１】
本発明は、バストを被覆するカップ部を有する衣類に関する。
【背景技術】
【０００２】
一般的なブラジャーは、着用時の安定性、運動追従性およびカップ造形性の各機能が求められる。着用時の安定性は、着用者の胴の周方向にブラジャーが安定して巻き付けられることを言う。運動追従性は、上半身を捻るなどの上半身運動による着くずれのしにくさを言う。カップ造形性は、バストの美しい形状の保形のしやすさを言う。
【０００３】
ブラジャーのバック部の面積を減らすなどにより、運動追従性を向上させるブラジャーが開示されている（特許文献１）。特許文献１に開示のブラジャーにおいて、バック部が２枚の布で形成され、一方をカップ部に接続し、一方は肩ストラップ部に接続することで、カップ、脇身および肩紐のそれぞれが独立して動くことを可能にする。
【先行技術文献】
【特許文献】
【０００４】
【特許文献１】実公昭６３−３６０１０号公報
【発明の概要】
【発明が解決しようとする課題】
【０００５】
しかしながら特許文献１に開示されたブラジャーは、着用者の周方向に巻き付く被覆量が少なく、着用時の安定性に欠け、さらにはカップ造形性も損なわれる場合がある。一方、被覆部を増やすと、運動追従性の低下により着くずれが発生し、カップ造形性も損なわれる場合がある。
【０００６】
このような状況に鑑み、着用時の安定性と運動追従性とを両立可能なブラジャーの開発が期待される。
【０００７】
従って本発明の目的は、着用時の安定性と運動追従性とを両立可能なカップ部を有する衣類を提供することである。
【課題を解決するための手段】
【０００８】
上記課題を解決するために、本発明の特徴は、バストを被覆するカップ部を有する衣類に関する。本発明の特徴に係るカップ部を有する衣類は、バストを被覆する一対のカップ部と、一対のカップ部の脇側にそれぞれ接続する一対のバック部と、一対のバック部を、背側で接続するバック接続部を備え、バック部は、カップ部との接続部分からバック接続部との接続部分にかけて、垂直方向の長さが徐々に短くなり、バック接続部との接続部分において、バック接続部の垂直方向の長さよりも短くなるように形成され、伸縮性を有する第１のバック部と、カップ部と接続するとともに、バック接続部との接続部分において第１のバック部の垂直方向の長さよりも長く形成され、伸縮性を有する第２のバック部と、第１のバック部の下辺と第２のバック部の下辺を接続する下辺接続部を備え、第１のバック部の上辺と第２のバック部の上辺は互いに遊離可能に形成される。
【０００９】
ここで、第１のバック部の上辺は、着用時において、上半身運動に伴って皮膚が伸縮する方向と略平行に配設されることが好ましい。
【００１０】
静立時での着用状態において、一対のカップ部の前中心上辺と、バック接続部の後中心上辺と、第２のバック部の上辺と体側の交点のそれぞれの垂直方向の高さが略同一であることが好ましい。
【００１１】
第１のバック部は、第１のバック部の上辺に平行な方向において、上辺に垂直な方向よりも、生地の伸長回復力が大きくなるように設けられ、第２のバック部は、第２のバック部の上辺に平行な方向において、上辺に垂直な方向よりも、生地の伸長回復力が大きくなるように設けられることが好ましい。
【００１２】
一対のカップ部の上方に接続するとともに、背側に配設された一対のバック部に着用者の肩を超えて接続する一対の肩ストラップ部をさらに備え、第２のバック部の上辺は、着用状態において、カップ部との接続部分から肩ストラップ部との接続部分にかけて、斜め上方向に形成されることが好ましい。
【００１３】
下辺接続部に、テープ部材が配設されることが好ましい。
【００１４】
カップ部の脇側は、平面的な部材で形成されることが好ましい。
【００１５】
カップ部は、モールド成形カップにより形成されることが好ましい。
【発明の効果】
【００１６】
本発明によれば、着用時の安定性と運動追従性とを両立可能なカップ部を有する衣類を提供することができる。
【図面の簡単な説明】
【００１７】
【図１】本発明の実施の形態に係るブラジャーを着用した状態を左後から観察した図である。
【図２】本発明の実施の形態に係るブラジャーを着用した状態を背面から観察した図である。
【図３】本発明の実施の形態に係るブラジャーを着用した状態を側面から観察した図である。
【図４】本発明の実施の形態に係るブラジャーを着用した状態を正面から観察した図である。
【図５】本発明の実施の形態に係るブラジャーの右身頃側の第１のバック部と第２のバック部に用いられる生地を平置きした状態を説明する図である。
【図６】本発明の実施の形態に係るブラジャーの左身頃側のバック部を平置きした状態を、内側（着用時に肌に当接する側）から観察した図である。
【図７】本発明の実施の形態に係るブラジャーの静立時での着用状態を、左右中心線から観察した図である。
【図８】第２の変形例に係るブラジャーを着用した状態を左後から観察した図である。
【発明を実施するための形態】
【００１８】
次に、図面を参照して、本発明の実施の形態を説明する。以下の図面の記載において、同一または類似の部分には同一または類似の符号を付している。
【００１９】
（実施の形態）
図１ないし図４を参照して、バストを被覆するカップ部を有する衣類の一例として、本発明の実施の形態に係るブラジャー１を説明する。ブラジャー１は、一対のカップ部２、一対のバック部３、バック接続部４および一対の肩ストラップ部５を備える。一対のカップ部２、一対のバック部３および一対の肩ストラップ部５は、左右対称に形成される。
【００２０】
カップ部２は、バストを被覆する。本発明の実施の形態においてカップ部２は、モールド成形カップにより形成され、それぞれ左右のバストを立体的に被覆し、側面視および上面視において釣鐘形状を有する。カップ部２は、例えば、ポリウレタンフォームによるモールド成形カップが用いられる。本発明の実施の形態に係るカップ部２は、着用者の左右の体側（左右脇端）近傍まで延伸し、体側近傍において、バック部３に接続する。
【００２１】
バック部３は、カップ部２の脇側に接続する。バック部３は、着用者の背面に配設され、着用者の前側に配設されるカップ部２とともに、着用者の胴の周方向に巻き付く。またバック部３は、伸縮性によりカップ部２を引いてカップ部２とバストを密着させ、着用者に安定して配設することを可能にする。本発明の実施の形態においてバック部３は、後に詳述するように、第１のバック部３ａと第２のバック部３ｂの２つの部品を備え、２つの部品がそれぞれ異なる方向にカップ部２を引くことにより、着用時の安定性、運動追従性およびカップ造形性を実現する。
【００２２】
バック接続部４は、一対のバック部３を、背側で接続する。本発明の実施の形態において、バック接続部４は、雌ホックが設けられた雌ホック部４ａと、雄ホックが設けられた雄ホック部４ｂを備え、雌ホックに雄ホックを係止することにより、一対のバック部３を着脱可能に接続することができる。雌ホック部４ａにおいて、複数の雌ホックの列が設けられ着用者のサイズに応じて、雄ホックを適切な雌ホックに係止できるようにしても良い。
【００２３】
肩ストラップ部５は、カップ部２の上方に接続するとともに、背側に配設されたバック部３に着用者の肩を超えて接続する。肩ストラップ部５は、肩の稜線からカップ部２を引き上げることにより、バスト位置を高く維持し、バストの造形性を実現する。肩ストラップ部５は、エイト鐶等により長さ調節可能に形成される。
【００２４】
（バック部）
バック部３は、図５および６に示すように、第１のバック部３ａ、第２のバック部３ｂおよび下辺接続部３ｃを備える。第１のバック部３ａおよび第２のバック部３ｂは、それぞれ伸縮性を有する生地で形成され、図５に示すように、それぞれ異なる形にカットされた生地により形成される。第１のバック部３ａと第２のバック部３ｂは、チュールパワーネットヘムなどの伸縮性を有する部材が用いられる。
【００２５】
第１のバック部３ａは、カップ部２とバック部３の接続部分３ｄからバック接続部４とバック部３の接続部分３ｅにかけて、垂直方向の長さが徐々に短くなり、バック接続部４との接続部分３ｅにおいて、バック接続部４の垂直方向の長さよりも短くなるように形成される。第１のバック部３ａは、脇側において幅広に形成され、背中心に向けて幅狭に形成される。第１のバック部３ａとカップ部２との接続部分３ｄの上辺近傍において、カップ部２の上辺から第１のバック部３ａの上辺にかけてなだらかなカーブを描くように形成される。
【００２６】
第２のバック部３ｂは、カップ部２と接続するとともに、バック接続部４との接続部分３ｅにおいて第１のバック部３ａの垂直方向の長さよりも長く形成される。第２のバック部３ｂは、第１のバック部３ａに比べて周方向に巻き付けるパワーが発揮されるように、広い面積を有する。
【００２７】
下辺接続部３ｃは、第１のバック部３ａの下辺と第２のバック部３ｂの下辺を接続する。下辺接続部３ｃには、テープ部材が配設される。下辺接続部３ｃに、第１のバック部３ａの下辺および第２のバック部３ｂの下辺を重ねて、テープ部材を縫着することにより、第１のバック部３ａの下辺および第２のバック部３ｂの下辺を接続することができる。また下辺接続部３ｃは、緊締力の高いテープ部材が配設されることにより、バック部３を着用者の肌上にずれ動かないように着けることができる。
【００２８】
本発明の実施の形態において第１のバック部３ａの上辺と第２のバック部３ｂの上辺は互いに遊離可能に形成される。第１のバック部３ａの上辺と第２のバック部３ｂの上辺は接続されないので、第１のバック部３ａの上辺と第２のバック部３ｂの上辺は、独立して動くことが可能である。
【００２９】
また第２のバック部３ｂは、第１のバック部３ａよりも肌側に配設される。第２のバック部３ｂは、第１のバック部３ａよりも広い面積を有するので、第２のバック部３ｂを肌側に配設することにより、より均質な着圧で、第２のバック部３ｂが当接する皮膚を緊締することができる。
【００３０】
（第１のバック部）
第１のバック部３ａは、カップ部２との接続部分３ｄからバック接続部４との接続部分３ｅにかけて、垂直方向の長さが徐々に短くなり、バック接続部４との接続部分３ｄにおいて、垂直方向の長さがバック接続部４の垂直方向の長さよりも短くなるように形成される。より具体的には本発明の実施の形態において第１のバック部３ａは、バック接続部４との接続部分３ｅにおいて、第１のバック部３ａと第２のバック部３ｂの下辺を接続するのに必要な幅（垂直方向の長さ）になるように形成される。
【００３１】
これにより、第１のバック部３ａは、カップ部２を引いたパワーを、第１のバック部３ａとバック接続部４との接続部分３ｅに収束できる。本発明の実施の形態において、第１のバック部３ａの上辺が、バック接続部４との接続部分３ｅに収束する方向を、カップフィット軸と称する。カップフィット軸は、体のひねり動作が起こった時に、体側に生じる皮膚の伸縮方向と同じ方向なので、体のひねり動作が起こっても、静立時と同様に、カップ部２がずれないように体にフィットする力をかけることができる。さらに、カップ部２を引くのに必要な第１のバック部３ａの面積を削減するので、上半身運動に伴う伸縮が大きい皮膚の部分と当接する面積を減らすことで、着くずれを抑制することができる。
【００３２】
第１のバック部３ａは、第１のバック部３ａの上辺に平行な方向（図５（ａ）中の矢印方向）において、上辺に垂直な方向（図５（ａ）中の矢印に紙面上で直交する方向）よりも、生地の伸長回復力が大きくなるように設けられる。例えば生地の地の目において最も伸長回復力が大きい場合、図５（ａ）中の矢印方向に生地の地の目が設けられる。これにより第１のバック部３ａは、カップフィット軸の方向（図５（ａ）の上辺に平行な方向）に強いパワーをかけることができるので、図４に示すカップ部２のバストトップを通る垂直の仮想線（図示せず）よりも脇側のカップ脇部２ａを背側に引くことにより、カップ部２をバストに密着させることができる。また本発明の実施の形態において特に、モールド成形によりカップ部２の脇側が平面的に形成されるので、カップ脇部２ａから第１のバック部３ａにかけて広い面が形成され、第１のバック部３ａは、この広い面でカップ部２を引くことができる。
【００３３】
さらに第１のバック部３ａの上辺は、着用時において、上半身運動に伴って皮膚が伸縮する方向と略平行に配設される。ここで「略平行」は、厳密な意味での平行のみならず、ブラジャー１が対象とするサイズの着用者において皮膚の伸縮を阻害しない程度に、第１のバック部３ａが伸縮する方向が、上半身運動に伴って皮膚が伸縮する方向から傾いた方向を含む。「略平行」は、例えば皮膚が伸縮する方向に対して、０度〜±５度の範囲内である。第１のバック部３ａは、上半身運動に伴う皮膚の変形に追従するので、さらに着くずれを抑制することができる。一般的に、静立時（まっすぐ立って動きのない状態）から上半身を右方向に捻る動作を行うことにより、図３の肩近傍の矢印が示すように、体側において背側下方から前側上方にかけて斜め方向に皮膚が伸展し、静立時に戻る際に皮膚も元に戻り、上下運動に伴って、図３の矢印方向に皮膚が大きく伸縮する。本発明の実施の形態に係る第１のバック部３ａの上辺は、着用状態において、この皮膚の伸展方向と略平行に形成され、さらに、この皮膚の伸展方向に伸長回復力が高く形成される。これにより第１のバック部３ａの上辺は、上半身運動に伴う皮膚の伸展および縮小に追従して、カップフィット軸方向に変形（伸展および縮小）しやすい。
【００３４】
また第１のバック部３ａの下辺は、第２のバック部３ｂの下辺および下辺接続部３ｃとともに強い緊締力で着用者の肌に当接するので、第１のバック部３ａの下辺は肌上をずれ動きにくい。これにより、着用者の動作に伴う第１のバック部３ａの変形がカップ部２まで伝達されず、動きに伴ったカップ部２の位置にずれが生じず、着くずれの発生を抑制することができる。
【００３５】
（第２のバック部）
第２のバック部３ｂは、カップ部２と接続するとともに、バック接続部４との接続部分３ｄにおいて第１のバック部３ａの垂直方向の長さよりも長く形成される。第１のバック部３ａは、バック接続部４との接続部分において、バック接続部４の高さよりも低い高さを有するのに対し、第２のバック部３ｂは、図１等に示すように、バック接続部４と同様の高さを有する。第２のバック部３ｂは、第１のバック部３ａと比較して広い面積を有し、周方向（特に背脇近傍）で同様の幅を有するので、ブラジャー１を着用者に安定して配設することが可能である。
【００３６】
図７に示すように、本発明の実施の形態に係るブラジャー１は、静立時での着用状態において、一対のカップ部２の前中心上辺Ｐ１と、バック接続部４の後中心上辺Ｐ２と、第２のバック部３ｂの上辺と左右の体側の各交点Ｐ３のそれぞれの垂直方向の高さが略同一になるように、形成される。ここで「略同一」は、厳密な意味での同一の場合のみならず、ブラジャー１が対象とするサイズの着用者において、ブラジャー１を安定して配置可能な程度に交点Ｐ１ないしＰ３が所定の範囲内の高さに配設される場合を含む。着用者の動きによって位置変化の生じやすい部分が後中心であるので、ブラジャー１が、この後中心において交点Ｐ１ないしＰ３の高さ方向の位置の差異を吸収できる場合、ブラジャー１を安定して配置可能であると考えられる。従って、交点Ｐ１ないしＰ３の高さ方向の位置の差異が、着用者の動きによって位置変化の生じやすい後中心に配設されるバック接続部４の垂直方向の長さの範囲内であればよい。従って、「略同一」は、バック接続部４の垂直方向の長さの範囲内である。例えばバック接続部３の幅（着用時の垂直方向の長さ）が３センチである場合、交点Ｐ１ないしＰ３の高さ方向の位置の差異が３センチ以内となる。
【００３７】
本発明の実施の形態において、一対のカップ部２の前中心上辺Ｐ１と、バック接続部４の後中心上辺Ｐ２と、第２のバック部３ｂの上辺と左右の体側の各交点Ｐ３を通る略水平な軸を、ブラジャー本体安定軸と称する。図３および図７において、上下方向の一点鎖線は体側を示し、図７において、左右方向の一点鎖線は水平線を示す。
【００３８】
ブラジャー本体安定軸により、第２のバック部３ｂは、一対のカップ部２の前中心上辺Ｐ１と、バック接続部４の後中心上辺Ｐ２と、第２のバック部３ｂの上辺と体側の交点Ｐ３をほぼ同一の高さを有し、点Ｐ１ないしＰ３を水平に引くことが可能である。またブラジャー本体安定軸により、ブラジャー１を水平方向に背側に引いて巻き付け、さらに、ブラジャー１が傾きにくくなることから、ブラジャー１を意図した位置に安定して配置することができる。
【００３９】
また図３および図７に示すように、第２のバック部３ｂの上辺と体側との交点Ｐ３に、さらに、第１のバック部３ａの上辺が配設されるのが好ましい。これにより、一対のカップ部２の前中心上辺Ｐ１とバック接続部４の後中心上辺Ｐ２に水平な交点Ｐ３にさらに強いパワーがかかるので、ブラジャー１の安定性をより向上させることができる。
【００４０】
第２のバック部３ｂは、第２のバック部３ａの上辺に平行な方向（図５（ｂ）中の矢印方向）において、上辺に垂直な方向（図５（ｂ）中の矢印に紙面上で直交する方向）よりも、生地の伸長回復力が大きくなるように設けられる。例えば生地の地の目において最も伸長回復力が大きい場合、図５（ｂ）中の矢印方向に生地の地の目が設けられる。これにより、カップ部２を、ブラジャー本体安定軸の方向に強いパワーで引いて、ブラジャー１を意図した位置に安定して配置することができる。
【００４１】
また第２のバック部３ｂの上辺は、図２に示すように、着用状態において、カップ部２との接続部分３ｄから肩ストラップ部５との接続部分３ｆにかけて、斜め上方向に形成される。第２のバック部３ｂは、肩ストラップ部５により接続部分３ｆが持ち上げられることにより、背面の脇側の斜め上方向（背脇下方から背中心上方の方向）において、斜め下方向（背脇上方から背中心下方の方向）に比べて、伸長回復力が大きくなるように形成される。これにより、カップ部２を斜め上方向に強いパワーをかけることができるので、肌に安定して配設される下辺接続部３ｃを支えに、カップ部２を着用者に引き寄せるとともに、第２のバック部３ｂを、着用者の胴の周方向に強いパワーで巻き付けて、ブラジャー１を着用者に安定して配設することを可能にする。
【００４２】
また、本発明の実施の形態において第２のバック部３ｂは、カップ部２との接続部分３ｄにおいて第１のバック部３ａの垂直方向の長さより短く形成される。第２のバック部３ｂとカップ部２との接続部分３ｄにおいて、第２のバック部３ｂの上端がカップ部２の上端よりも低くなり、段差を形成する。これにより、カップ部２を、第１のバック部３ａがカップフィット軸方向に引く力と、第２のバック部３ａがブラジャー本体安定軸に引く力とが、互いに干渉することなく、第１のバック部３ａおよび第２のバック部３ｂそれぞれが、所望の機能を発揮することができる。カップ脇部２ａの上辺から第１のバック部３ａの上辺は、直線状に接続され、第１のバック部３ａの上辺は、カップ部２の脇側の上辺に働きかけて、カップ部２をカップフィット軸方向に引くことができる。また、第２のカップ部３ｂは、カップ部２との接続部分３ｄにおいて、第１のバック部３ａと接続位置よりも低い位置において接続するので、第１のバック部３ａの上辺が、カップ部２の脇側の上辺に働きかけてカップ部２をカップフィット軸方向に引く力に介入することなく、カップ部２をブラジャー本体安定軸方向に引く力を発揮することができる。
【００４３】
このように、一対のカップ部２の前中心上辺Ｐ１と、バック接続部４の後中心上辺Ｐ２と、第２のバック部３ｂの上辺と体側の交点Ｐ３が、着用時に水平に配設されることにより、このＰ１ないしＰ３にパワーが加わり、体表上の位置で移動が生じにくくなる。これにより、ブラジャー１の着用時の形状および位置を維持し、着くずれの発生を抑制することができる。
【００４４】
（効果）
このように本発明の実施の形態に係るバック部３の構成により、着用時の安定性と運動追従性とを両立することができる。
【００４５】
具体的には、第１のバック部３ａの上辺と第２のバック部３ｂの上辺は、互いに遊離可能に形成されるので、第１のバック部３ａの上辺と第２のバック部３ｂの上辺に、互いに異なる方向にパワーをかけることができる。第１のバック部３ａの上辺は、カップフィット軸方向（上半身を捻る動作をした際に皮膚が伸展する方向（斜め方向））に伸縮し、第２のバック部３ｂは、ブラジャー１をブラジャー本体安定軸方向（水平方向）に安定して配設させるように働きかける。ここで第１のバック部３ａの上辺と第２のバック部３ｂの上辺は、互いに遊離可能であるので、第１のバック部３ａが斜め方向に伸縮する動きは、第２のバック部３ｂがブラジャー１を水平方向に安定して配設させる動きに阻害されない、同様に第２のバック部３ｂがブラジャー１を水平方向に安定して配設させる動きは、第１のバック部３ａが斜め方向に伸縮する動きに阻害されない。これにより、第１のバック部３ａと第２のバック部３ｂが、それぞれ独立して機能することを可能にするので、上半身運動により皮膚が伸縮した場合でも、バック部３は着用者に動かないように装着することができる。
【００４６】
さらに第１のバック部３ａの下辺と第２のバック部３ｂの下辺は、下辺接続部３ｃにより接続するので、第１のバック部３ａと第２のバック部３ｂはお互いに連動して、着用者の皮膚にブラジャー１を密着させ、ブラジャー１を安定して配設することができる。
【００４７】
このように、第１のバック部３ａがカップ部２の静立時の位置を保持する効果を奏し、第２のバック部３ｂがブラジャー１の静立時の位置を保持する効果を奏することにより、ブラジャー１を望ましい位置に着用させ、さらにカップ部２の位置を維持することができる。また着くずれと着くずれに伴う造形性の低下を回避することができるので、運動後であっても、設計者の意図通りに、カップ部２の造形性を実現することができる。
【００４８】
このように本発明の実施の形態に係るブラジャー１のバック部３は、上半身の捻る方向に伸縮する第１のバック部３ａと、ブラジャー１を水平に引く第２のバック部３ｂを備える。第１のバック部３ａは、上半身を捻る動作に伴う運動追従性を実現し、第２のバック部３ｂは、ブラジャー１の安定性を実現する。本発明の実施の形態においてバック部３は、機能の異なる複数のパーツにより構成することで、着用時の安定性と運動追従性とを両立することができる。
【００４９】
（試験）
本発明の実施の形態に係るブラジャー１の着用による効果を計るために、２つの試験を行った。
【００５０】
第１の試験は、運動によるブラジャー本体安定軸のずれ量を、本発明の実施の形態に係るブラジャー１を着用した状態と、従来品を着用した状態で比較する。第１の試験では、複数のサイズの複数の着用者が、本発明の実施の形態に係るブラジャー１をそれぞれ着用し肌に馴染ませた後に、静立時における一対のカップ部２の前中心上辺Ｐ１と、バック接続部４の後中心上辺Ｐ２と、第２のバック部３ｂの上辺と左右の体側の各交点Ｐ３のそれぞれの床からの垂直方向の高さを、運動前の数値として測定する。その後着用者が上半身の皮膚のずれを引き起こす運動をした後に、運動前の測定対象と同様の箇所を、運動後の数値として測定し、本発明の実施の形態に係るブラジャー１を着用した各着用者について、運動前後における垂直方向の高さの変位量の合計を算出する。さらに、同じ着用者が一般的なブラジャーを着用して、同様に運動前の数値と運動後の各測定対象の床からの垂直方向の高さをそれぞれ測定し、一般的なブラジャーを着用した各着用者について、運動前後における垂直方向の高さの変位量の合計を算出する。
【００５１】
その結果、本発明の実施の形態に係るブラジャー１を着用した場合の各着用者の垂直方向の高さのずれは、０．２センチから１．３センチ程度で、平均値は０．６センチ程度ある。これに対し、一般的なブラジャー１を着用した場合の垂直方向の高さのずれは、０．９センチから２．２センチ程度で、平均値は１．４センチ程度である。
【００５２】
これにより、本発明の実施の形態に係るブラジャー１を着用することで、一般的なブラジャーを着用する場合に比べて、運動後においても位置ずれが生じにくく、ブラジャー１の安定性が向上していることがわかる。
【００５３】
第２の試験は、カップフィット軸のフィット感を、本発明の実施の形態に係るブラジャー１を着用した状態と、従来品を着用した状態で比較する。第２の試験では、複数のサイズの複数の着用者に対して、本発明の実施の形態に係るブラジャー１をそれぞれ着用し肌に馴染ませ所定の運動を行った後の状態について、（１）安定感およびずれにくさと、（２）カップのフィット感について、アンケートを行った。着用者は、（１）安定感およびずれにくさについて、「５．安定感がある」、「３．ふつう」および「１．安定感がなくずれ上がる」のいずれかから選択し、（２）カップのフィット感について、「５．フィット感がある」、「３．ふつう」および「１．フィット感がない」のいずれかから選択する。さらに同じ着用者が、一般的なブラジャーを着用して、同様のアンケートを行う。第２の試験では、（１）安定感およびずれにくさと、（２）カップのフィット感のそれぞれについて、本発明の実施の形態に係るブラジャー１と一般的なブラジャーの各着用者の選択肢のポイントの平均値を算出する。
【００５４】
その結果、（１）安定感およびずれにくさについて、本発明の実施の形態に係るブラジャー１を着用した着用者から、平均４．３ポイントが得られたのに対し、一般的なブラジャーを着用した着用者から、平均２．５ポイントが得られた。また（２）カップのフィット感について、一般的なブラジャーを着用した着用者から、平均４．１ポイントが得られたのに対し、一般的なブラジャーを着用した着用者から、平均２．６ポイントが得られた。
【００５５】
これにより、本発明の実施の形態に係るブラジャー１を着用することで、一般的なブラジャーを着用する場合に比べて、運動後においてもブラジャー１の安定感およびずれにくさがあり、カップのフィット感も向上していることがわかる。
【００５６】
このように、上記第１の試験および第２の試験を通して、本発明の実施の形態に係るブラジャー１は、着用時の安定性と運動追従性とを両立可能であることが確認できた。
【００５７】
（素材データ）
第１のバック部３ａおよび第２のバック部３ｂは、それぞれ、伸長回復力が最も高い方向（図５（ａ）および（ｂ）に示す矢印方向）において、伸び率が、１００％から２００％程度で、伸長回復力が最も高い方向に垂直な方向の伸び率が、７０％から１６０％程度の素材が好ましい。第１のバック部３ａおよび第２のバック部３ｂは、それぞれ、伸長回復力が最も高い方向の伸長回復力が、６０ｃＮから１４０ｃＮ程度で、伸長回復力が最も高い方向に垂直な方向の伸長回復力が、３５ｃＮから８５ｃＮ程度の素材が好ましい。
【００５８】
第１のバック部３ａおよび第２のバック部３ｂにおいて伸長回復力が最も高い方向は、それぞれの上辺に平行な方向である。本発明の実施の形態において、上辺に平行な方向に対して、０度〜±５度程度の傾きを有する範囲において、伸長回復力が最も高い方向の伸び率および伸長回復力が実現されれば良い。同様に第１のバック部３ａおよび第２のバック部３ｂにおいて伸長回復力が最も高い方向に垂直な方向は、それぞれの上辺に垂直な方向である。本発明の実施の形態において、上辺に平行な方向の０度〜±５度程度の傾きを有する方向に垂直な範囲において、伸長回復力が最も高い方向に垂直な方向の伸び率および伸長回復力が実現されれば良い。
【００５９】
本発明の実施の形態において、伸び率および伸長回復力は、１６０ｍｍ×２５ｍｍの試験片を、上部つかみ２５ｍｍ、下部つかみ３５ｍｍおよびつかみ間隔１００ｍｍで、定速伸長形引張試験機に取り付けて、測定される。伸長回復力が最も高い方向および伸長回復力が最も高い方向に垂直な方向がそれぞれ長手方向（１６ｍｍ側）になるように裁断された、複数の試験片が用いられる。
【００６０】
伸び率は、試験片を定速伸長形引張試験機に取り付け、試験片を左右方向および上下方向にそれぞれ荷重１４．７Ｎをかけて測定されたものである。伸長回復力は、試験片を定速伸長形引張試験機に取り付け、３００ｍｍ／分程度の速度で伸長回復を複数回繰り返し、３０％伸長した際の伸長力（ｃＮ）と、３０％に回復した際の回復力（ｃＮ）の平均により算出される。
【００６１】
下辺接続部３ｃに用いられるテープ部材は、例えばストレッチテープが用いられる。テープ部材は、長さ方向において、伸び率が、１００％から２００％程度で、伸長回復力が、１１０ｃＮから２００ｃＮ程度の素材が好ましい。伸び率および伸長回復力は、長さ１６０ｍｍの試験片を定速伸長形引張試験機に取り付けて、第１のバック部３ａおよび第２のバック部３ｂと同様に測定される。
【００６２】
ここで記載した各部材の測定データは一例であって、これに限るものではない。
【００６３】
（第１の変形例）
本発明の実施の形態において、カップ部２は、モールド成形カップにより形成される場合を説明するが、これに限らない。カップ部２の脇側は、平面的な部材で形成されるのが好ましい。
【００６４】
第１の変形例においてカップ部２は、バストトップを通る垂直の仮想線よりも脇側のカップ脇部２ａにおいて、１枚の布などの平面的な部材で形成される。カップ脇部２ａは、複数の布で形成されても良いが、ダーツやギャザーなどがなく、立体的に形成されずに平面的に形成される。
【００６５】
これにより、カップ脇部２ａとバック部３（第１のバック部３ａおよび第２のバック部３ｂ）は、一体となって広い面を形成し、効率的にカップ部２を所定方向に引くことができる。
【００６６】
（第２の変形例）
本発明の実施の形態に係るブラジャー１においてカップ部２が、モールド成形により形成される場合を説明したが、これに限られない。図８に示すように、第２の変形例に係るブラジャー１ａは、ノンワイヤーのカップ部またはワイヤー入りのカップ部など他のカップ部に、本発明の実施の形態に係るブラジャー１のバック部３を適用しても良い。
【００６７】
第２の変形例に係るカップ部２０は、図８に示すように、側面視および上面視において釣鐘形状を有し、バージスライン（登録商標）で区切られる一対のバスト被覆部２１と、一対のバスト被覆部２１とバック部３に接続する土台部２２を備える。
【００６８】
このような第２の変形例に係るブラジャー１ａにおいても、本発明の実施の形態に係るブラジャー１と同様に、バック部３は、土台部２２と一体となってカップ部２を所定方向に引くことができるので、着用時の安定性と運動追従性とを両立することができる。
【００６９】
（第３の変形例）
本発明の実施の形態に係るブラジャー１において、肩ストラップ部５でカップ部２をつり上げ、背側でバック部３を係止する場合を説明したが、これに限られない。
【００７０】
本発明の実施の形態に係るブラジャー１のバック部３を、肩ストラップ部５を備えないストラップレスブラジャーに適用しても良い。また本発明の実施の形態に係るブラジャー１のバック部３を、前側で左右のカップ部２を係止するフロントホックブラジャーに適用しても良い。さらに本発明の実施の形態に係るブラジャー１のバック部３を固定的に接続して、予め環形状に形成し、頭または足から環形状を通して着用するブラジャーに適用しても良い。
【００７１】
また、本発明の実施の形態において、カップ部を有する衣類は、ブラジャーの場合を説明したが、カップ部を有するキャミソール等の下着であっても良いし、水着等であっても良い。
【００７２】
（その他の実施の形態）
上記のように、本発明の実施の形態とその第１ないし第３の変形例によって記載したが、この開示の一部をなす論述および図面はこの発明を限定するものであると理解すべきではない。この開示から当業者には様々な代替実施の形態、実施例および運用技術が明らかとなる。
【００７３】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００７４】
１  ブラジャー
２、２０  カップ部
２ａ  カップ脇部
３  バック部
３ａ  第１のバック部
３ｂ  第２のバック部
３ｃ  下辺接続部
３ｄ  カップ部との接続部分
３ｅ  バック接続部との接続部分
３ｆ  肩ストラップ部との接続部分
４  バック接続部
４ａ  雌ホック部
４ｂ  雄ホック部
５  肩ストラップ部
【図１】
2019194382.tif 000003
【図２】
2019194382.tif 000004
【図３】
2019194382.tif 000005
【図４】
2019194382.tif 000006
【図５】
2019194382.tif 000007
【図６】
2019194382.tif 000008
【図７】
2019194382.tif 000009
【図８】
2019194382.tif 000010